(57)【要約】【課題】  トレイのフレームに表示タグを簡単に装着し、長期間外れないようにする。【解決手段】  ポット収納用トレイ１のかご形フレーム３に、育苗ポット６を収納するための複数のセル４を設ける。フレーム３上端の周縁部８を四角環状に形成し、その四辺の上面にそれぞれ一対の掛止部９を突設する。掛止部９をフレーム３の内側に向くフック状突起に形成し、表示タグ１０の穴を掛止部９に着脱自在に引っ掛け、該表示タグ１０をフレーム３の外側に吊り下げ、苗情報を表示タグ１０によって表示する。【選択図】        図１
2006204127.tif 000002
【特許請求の範囲】
【請求項１】
苗が植えられた複数のポットを収納するかご形のフレームを備え、該フレームに表示タグを着脱自在に引っ掛けて止める凸状又は凹状の掛止部を設けたことを特徴とするポット収納用トレイ。
【請求項２】
前記掛止部をフレームの周縁部の上面に設けた請求項１記載のポット収納用トレイ。
【請求項３】
前記周縁部を四角環状に形成し、該周縁部の四辺の上面に掛止部をそれぞれ設けた請求項２記載のポット収納用トレイ。
【請求項４】
前記掛止部をフレームの内側に向いて曲がるフック状突起とした請求項２又は３記載のポット収納用トレイ。
【請求項５】
ポット収納用トレイのかご形のフレームに苗が植えられた複数のポットを収納し、表示タグを該フレームの周縁部に設けた掛止部に着脱自在に引っ掛けてフレームの外側に吊り下げ、前記苗に関する苗情報を表示タグにより表示することを特徴とする苗情報の表示方法。
【発明の詳細な説明】
【技術分野】
【０００１】
本発明は、草花や野菜等の植物の苗が植えられたポットを収納するためのトレイと、このトレイを用いて苗情報を表示する方法に関する。
【背景技術】
【０００２】
従来より、植物の苗をポットに植え、複数のポットをトレイに収納して、店頭に陳列することが広く行われている。また、その苗に関する苗情報（品種や値段等）を表示するために、次の方法が知られている。
（１）ポット毎のラベルで表示する方法：  苗情報を記したラベルを各ポットの土に挿して立てる方法が一般的である。また、例えば特許文献１には、かご形のポット収納用トレイに複数のポットを並べ、ポット毎に立てたラベルで苗情報を表示して方法が記載されている（同文献の図１、図２４参照）。
（２）トレイに表示する方法：  苗情報を記した表示タグをトレイの側面に粘着テープで貼り付ける方法が一般的である。また、特許文献２には、ケース本体の側壁外面に微小突条のあるラベル貼着部を設け、ここにバーコードラベルを貼着する方法が記載されている（同文献の図１３、図１５参照）。
【特許文献１】特開２００３−２０４７２３号公報
【特許文献２】特開平１０−１７８９１２号公報
【発明の開示】
【発明が解決しようとする課題】
【０００３】
上記（１）に対し、（２）は大きな字で一括表示できる利点があるが、表示タグを粘着テープで貼り付けるのに手間がかかり、また、期間が経つと雨や紫外線で粘着テープが劣化して表示タグが外れたり、反対に粘着テープがトレイに固着して表示タグを付け替えたいときに剥がしにくくなったり、トレイに貼り跡が残って汚れたりする等の問題があった。
【０００４】
本発明の目的は、上記課題を解決し、表示タグを簡単に装着でき、表示タグが長期間外れにくく、表示タグを付け替えやすく、トレイが汚れないポット収納用トレイ及び苗情報の表示方法を提供することにある。
【課題を解決するための手段】
【０００５】
上記の課題を解決するために、本発明のポット収納用トレイは、苗が植えられた複数のポットを収納するかご形のフレームを備え、該フレームに表示タグを着脱自在に引っ掛けて止めるための突起状、凹部状又は穴状の掛止部を設けたことを特徴とする。
【０００６】
ここで、トレイに収納するポットは、特に限定されず、例えば、軟質樹脂で成形した育苗ポット、硬質樹脂からなるフラワーポット、素焼きの植木鉢等を例示できる。トレイは、透水性と軽量化を確保できる点で、全体としてかご形のフレームに成形するのが好ましい。トレイを陳列のみならず播種、育成、運搬、出荷に兼用できるように、フレームを耐久性に優れた樹脂又は金属で成形するのが望ましい。
【０００７】
また、同じ大きさのポットを整然と収納できるように、フレームの内側にポットの大きさに対応した大きさの凹状をなす複数のセルを設けてもよい。セルを四角箱形のフレームに縦横に配列するように形成してもよい。異なる大きさのポットを混載する場合は、セルを省き、フレームの底面をフラットに形成してもよい。
【０００８】
掛止部を設けるフレームの位置は、特に限定されないが、表示タグを引っ掛けやすい点でフレームの周縁部が好ましい。また、フレームを積み重ねる時や取り扱う時の邪魔にならないように、掛止部をフレームの周縁部の上面に設けることが最も好ましい。この場合、フレームの周縁部を四角環状に形成し、該周縁部の四辺の上面に掛止部をそれぞれ設けるとよい。こうすれば、四辺のうち適切な辺に表示タグを引っ掛けて止めて、フレームの四つの側面のうち適切な面に表示タグを吊り下げることができる。
【０００９】
掛止部としては、特定の形状に限定されず、次のものを例示できる。
（１）凸状の掛止部：突起、突条等を例示できる。突起としては、棒状突起、フック状突起等を例示できる。フック状突起の形状は、特に限定されず、倒立Ｌ字形、Ｃ字形等を例示できる。また、表示タグの脱落を確実に防止するために、フック状突起の先端はフレームの内側に向いて曲がるものが好ましい。
（２）凹状の掛止部：穴、溝等を例示できる。
【００１０】
表示タグは、平面的な表示媒体であり、特に限定されないが、紙、樹脂、金属、木材等からなるラベル、パネル、ボード、カード等を例示できる。表示タグに表示する苗に関する苗情報は、例えば、品種、産地、値段、移植方法等を表示する文字、図形等である。
【００１１】
そして、表示タグには、前記掛止部の形状に応じて被掛止部が設けられる。例えば、凸状の掛止部に対しては凹状の被掛止部（穴、溝等）あるいは凸条の掛止部（フック同士の掛止等）が、凹状の掛止部に対しては凸状の被掛止部（突起（フック状突起等）、突条等）が設けられる。また、表示タグを、鎖や紐等を介して前記掛止部に引っ掛けてもよい。
【００１２】
次に、本発明の苗情報の表示方法は、ポット収納用トレイのかご形のフレームに苗が植えられた複数のポットを収納し、表示タグを該フレームの周縁部に設けた掛止部に着脱自在に引っ掛けてフレームの外側に吊り下げ、前記苗に関する苗情報を表示タグにより表示することを特徴とする。このポット収納用トレイとしては、上記発明のポット収納用トレイを例示できる。
【発明の効果】
【００１３】
本発明のポット収納用トレイによれば、表示タグを簡単に装着でき、表示タグが長期間外れにくく、表示タグを付け替えやすく、トレイが汚れない。また、本発明の苗情報の表示方法によれば、前記効果に加え、苗情報を見やすく表示できる。
【発明を実施するための最良の形態】
【００１４】
図１、図２に本発明を実施するための最良の形態を示す。このポット収納用トレイ１はかご形のフレーム３を備え、フレーム３の内側に苗５を植えた軟質樹脂製の育苗ポット６を収納する複数のセル４が設けられている。フレーム３の周縁部８は四角環状に形成され、その四辺の上面にそれぞれ掛止部９が設けられている。掛止部９はフレーム３の内側を向くフック状突起に形成され、表示タグ１０の穴１４が掛止部９に着脱自在に引っ掛けられる。これにより、表示タグ１０がフレーム３の側面の外側に吊り下げられ、育苗ポット６に植えられた苗５に関する苗情報を表示タグ１０によって表示する。
【実施例】
【００１５】
以下、本発明の実施例を図面に基づいて説明する。図１、図２に示すように、このポット収納用トレイ１は、店頭で苗５を陳列するケースとしての機能に加え、生産農場での播種、育成、運搬、出荷に使用するコンテナとしての機能を備えている。トレイ１のフレーム３は、全体が樹脂により平面長方形の薄いかご形に成形されている。フレーム３の内側にはポットの大きさに対応した大きさの凹状をなす複数のセル４が縦横に配列するように形成され、各セル４に苗５を植えた軟質樹脂製の育苗ポット６が収納される。
【００１６】
フレーム３の上端には、育苗ポット６をセル４に出し入れするための開放部７と、開放部７を取り囲む周縁部８とが設けられている。周縁部８は長四角環状に形成され、その四辺の上面にそれぞれ一対の掛止部９が突設されている。掛止部９は四辺共に同じ間隔で設けられ、この実施例では、短辺側の掛止部９が短辺と長辺とのコーナ部に位置している。そして、苗５に関する情報を記した表示タグ１０が長辺側又は短辺側の掛止部９に着脱自在に引っ掛けられる。
【００１７】
図３、図４に示すように、掛止部９は周縁部８の上面に倒立Ｌ字形に一体形成され、その上端にフレーム２の内側に向くフック部９ａが設けられている。周縁部８の上面には、フック部９ａをアンダーカット成形するための型抜き穴１２が透設されている。表示タグ１０は樹脂製のパネルであって、その両端上部に折曲部１３を備えている。折曲部１３には穴１４が形成され、この穴１４を掛止部９に引っ掛けることで、表示タグ１０がフレーム３の外側に吊り下げられる。
【００１８】
次に、苗５の陳列方法の一例を、図５に基づいて説明する。苗５を店頭で陳列するにあたり、まず、所要枚数のポット収納用トレイ１を用意する。次いで、各トレイ１において、複数の育苗ポット６をフレーム３のセル４に収納する。このとき、苗５の品種に応じてトレイ１を変え、一つのトレイ１に同じ品種の苗５を揃えて配列するのが好ましい。そして、苗５の品種、値段、配色等を考慮した所定のレイアウトで、複数のトレイ１を展示台１６の上に並べる。
【００１９】
続いて、表示タグ１０を各トレイ１の掛止部９に引っ掛けてフレーム３の外側に吊り下げ、タグ１０によって苗５に関する苗情報を表示する。この場合、トレイ１がフレーム３の長手方向に配列されている場所では、タグ１０を長辺側の掛止部９に吊り下げ、トレイ１がフレーム３の短手方向に配列されている場所では、タグ１０を短辺側の掛止部９に吊り下げる。また、フレーム３の複数の側面が通路に面している場所では、それぞれの側面の上部にある掛止部９にタグ１０を吊り下げる。
【００２０】
この実施例のポット収納用トレイ１と陳列方法によれば、次のような効果が得られる。
（ａ）フレーム３に掛止部９を設けたので、表示タグ１０をワンタッチでトレイ１に着脱できる。
（ｂ）タグ１０の装着に粘着テープや粘着剤を使用していないので、フレーム３の外面に貼り跡が残らず、トレイ１を長期間きれいに使用できる。
（ｃ）掛止部９がタグ１０の取付位置を定めているので、タグ１０を傾けることなく見栄えよく装着できる。
【００２１】
（ｄ）掛止部９をフレーム３の周縁部８に設けたので、タグ１０をフレーム３の周囲に装着できる。
（ｅ）掛止部９をフレーム３の周縁部８の上面に設けたので、掛止部９がフレームを積み重ねる時や取り扱う時の邪魔にならない。
（ｆ）掛止部９を周縁部８の四辺にそれぞれ設けたので、所要枚数のタグ１１を適切な位置に装着できる。また、トレイ１の向きや売場のレイアウトに合わせて、タグ１０の装着位置を容易に変更できる。
【００２２】
（ｇ）掛止部９をフレーム３の内側に向く倒立Ｌ字形に形成したので、フック部９ａによってタグ１０の脱落を確実に防止できる。
（ｈ）タグ１０をフレーム３の周囲に装着したので、苗５に妨げられることなく、顧客がタグ１０の表示を容易に読み取ることができる。
（ｉ）苗情報をタグ１０でまとめて表示できるので、多品種の苗５を整然と展示できる。また、苗５を種類毎に集めたり、価額順に並べたり、花色を考慮して配列したりするなど、多品種の苗５を自由なレイアウトで展示できる。
【００２３】
本発明は前記実施例に限定されるものではなく、例えば以下のように、発明の趣旨から逸脱しない範囲で適宜変更して具体化することもできる。
（１）図６に示すように、表示タグ１０を鎖１８やリボンを介して掛止部９に吊り下げる。
（２）図７に示すように、フレーム３の周縁部８に掛止穴１９を形成し、表示タグ１０の折曲部１３に突起２０を設け、突起２０と掛止穴１９の嵌合により、表示タグ１０をフレーム３に着脱自在に引っ掛ける。
（３）図１に示すポット収納用トレイ１において、掛止部９の数を増やし、周縁部８の各辺に二枚、三枚又はそれ以上のタグ１０を装着できるように構成する。
【図面の簡単な説明】
【００２４】
【図１】本発明の一実施例を示すポット収納用トレイの斜視図である。
【図２】図１のトレイの一部を拡大して示す斜視図である。
【図３】図２のトレイの正面図である。
【図４】図３のＩＶ−ＩＶ線断面図である。
【図５】図１のトレイによる苗の陳列方法を示す斜視図である。
【図６】図２とは異なるタグ取付手段を示す斜視図である。
【図７】図４とは異なるタグ取付構造を示す断面図である。
【符号の説明】
【００２５】
１    ポット収納用トレイ
３    フレーム
４    セル
５    苗
６    育苗ポット
８    周縁部
９    掛止部
１０    表示タグ
【図１】
2006204127.tif 000003
【図２】
2006204127.tif 000004
【図３】
2006204127.tif 000005
【図４】
2006204127.tif 000006
【図５】
2006204127.tif 000007
【図６】
2006204127.tif 000008
【図７】
2006204127.tif 000009